(57)【要約】  本発明は、今後登場することになる５Ｇ環境、すなわち高速低遅延の通信を支援するための移動通信網環境に適した新たな参照信号伝送方式を実現することにより、５Ｇ環境で高速低遅延性能を支援する技術を開示している。
2019523598.tif 000002
【特許請求の範囲】
【請求項１】
無線通信システムでの参照信号伝送装置であって、
参照信号伝送のための無線リソースのサブフレーム内で、データチャネルによって決定される特定時点に第１参照信号を伝送する第１参照信号伝送部；及び、
上記無線リソースのサブフレーム内で、上記データチャネルによって決定される特定持続時間の間、第２参照信号を伝送する第２参照信号伝送部；を含むことを特徴とする参照信号伝送装置。
【請求項２】
上記特定時点及び上記特定持続時間は、
上記データチャネルの伝送が割り当てられたシンボル区間によって決定されることを特徴とする請求項１に記載の参照信号伝送装置。
【請求項３】
上記特定時点は、
上記サブフレームを構成する多数のシンボルのうち、上記データチャネルの伝送が始まる上記シンボル区間内の一番目シンボルと同一の位置の特定シンボルであることを特徴とする請求項２に記載の参照信号伝送装置。
【請求項４】
上記特定持続時間は、
上記サブフレームを構成する多数のシンボルのうち、上記データチャネルが伝送される上記シンボル区間と同一の位置の特定シンボル区間であることを特徴とする請求項２に記載の参照信号伝送装置。
【請求項５】
上記第１参照信号伝送部及び上記第２参照信号伝送部は、
ダウンリンク伝送時と対比してアップリンク伝送の場合、上記第１参照信号及び上記第２参照信号のために割り当てる周波数リソース及び時間リソースのうち少なくとも一つを倍数として割り当てることを特徴とする請求項１に記載の参照信号伝送装置。
【請求項６】
上記第１参照信号伝送部は、
上記特定シンボルの周波数領域から、上記第１参照信号を伝送することを特徴とする請求項３に記載の参照信号伝送装置。
【請求項７】
上記第２参照信号伝送部は、
上記特定シンボル区間の周波数領域のうち上記第１参照信号を伝送しない残りの周波数ブロックのうちの一つから、上記第２参照信号を伝送することを特徴とする請求項４に記載の参照信号伝送装置。
【請求項８】
上記第１参照信号伝送部は、
同一受信装置に多数のアンテナビーム別に各第１参照信号を伝送する場合、
上記特定シンボルの周波数領域をＦＤＭ（Frequency Division Multiplexing）処理して多数のアンテナビーム別に相互直交する２以上の周波数ブロックを割り当て、上記多数のアンテナビーム別に上記特定シンボルの周波数領域のうち割り当てられた２以上の周波数ブロックから各第１参照信号を伝送することを特徴とする請求項６に記載の参照信号伝送装置。
【請求項９】
上記第２参照信号伝送部は、
上記受信装置に上記多数のアンテナビーム別に各第２参照信号を伝送する場合、
上記特定シンボル区間の周波数領域のうち相互直交する各周波数ブロックから、上記各第２参照信号を伝送することを特徴とする請求項８に記載の参照信号伝送装置。
【請求項１０】
上記多数のアンテナビーム別に、各第２参照信号を伝送する各周波数ブロックは、
上記多数のアンテナビームのうち他のアンテナビームを通して第１参照信号を伝送する周波数ブロックのうちの一つに割り当てられて、相互直交するようになることを特徴とする請求項９に記載の参照信号伝送装置。
【請求項１１】
上記第１参照信号伝送部は、
上記多数のアンテナビーム別に、上記特定シンボルの周波数領域のうち割り当てられた２以上の周波数ブロックから、他のアンテナビームを通して第２参照信号を伝送する周波数ブロックは除外して、各第１参照信号を伝送することを特徴とする請求項８に記載の参照信号伝送装置。
【請求項１２】
無線通信システムで基地局又は端末によって遂行される参照信号伝送方法において、
参照信号伝送のための無線リソースのサブフレーム内で、データチャネルによって決定される特定時点に第１参照信号を伝送する第１参照信号伝送段階；及び、
上記無線リソースのサブフレーム内で、上記データチャネルによって決定される特定持続時間の間、第２参照信号を伝送する第２参照信号伝送段階；を含むことを特徴とする参照信号伝送方法。
【請求項１３】
上記特定時点は、
上記サブフレームを構成する多数のシンボルのうち、上記データチャネルの伝送が始まるシンボル区間内の一番目シンボルと同一の位置の特定シンボルであることを特徴とする請求項１２に記載の参照信号伝送方法。
【請求項１４】
上記特定持続時間は、
上記サブフレームを構成する多数のシンボルのうち、上記データチャネルが伝送されるシンボル区間と同一の位置の特定シンボル区間であることを特徴とする請求項１３に記載の参照信号伝送方法。
【請求項１５】
上記第１参照信号伝送段階は、上記特定シンボルの周波数領域から上記第１参照信号を伝送し、
上記第２参照信号伝送段階は、上記特定シンボル区間の周波数領域のうち上記第１参照信号を伝送しない残りの周波数ブロックのうちの一つから、上記第２参照信号を伝送することを特徴とする請求項１４に記載の参照信号伝送方法。
【請求項１６】
上記第１参照信号伝送段階は、
同一受信装置に多数のアンテナビーム別に各第１参照信号を伝送する場合、
上記特定シンボルの周波数領域をＦＤＭ処理して多数のアンテナビーム別に相互直交する２以上の周波数ブロックを割り当て、
上記多数のアンテナビーム別に上記特定シンボルの周波数領域のうち割り当てられた２以上の周波数ブロックから各第１参照信号を伝送することを特徴とする請求項１４に記載の参照信号伝送方法。
【請求項１７】
上記第２参照信号伝送段階は、
上記受信装置に上記多数のアンテナビーム別に各第２参照信号を伝送する場合、
上記特定シンボル区間の周波数領域のうち相互直交する各周波数ブロックから、上記各第２参照信号を伝送することを特徴とする請求項１６に記載の参照信号伝送方法。
【請求項１８】
上記多数のアンテナビーム別に、各第２参照信号を伝送する各周波数ブロックは、
上記多数のアンテナビームのうち他のアンテナビームを通して第１参照信号を伝送する周波数ブロックのうちの一つに割り当てられて、相互直交するようになることを特徴とする請求項１７に記載の参照信号伝送方法。
【請求項１９】
上記第１参照信号伝送段階は、
上記多数のアンテナビーム別に、上記特定シンボルの周波数領域のうち割り当てられた２以上の周波数ブロックから、他のアンテナビームを通して第２参照信号を伝送する周波数ブロックは除外して、各第１参照信号を伝送することを特徴とする請求項１６に記載の参照信号伝送方法。
【発明の詳細な説明】
【技術分野】
【０００１】
本発明は、装置間で参照信号（reference signal）を伝送する技術に関するものである。
【０００２】
より詳しくは、本発明は、今後登場することになる高速低遅延サービスの移動通信網環境に適した参照信号伝送技術に関するものである。
【背景技術】
【０００３】
ビームフォーミング技術は、送信装置のアンテナ数及び受信装置のアンテナ数を多数個備えることを前提とする技術である。
【０００４】
ビームフォーミング技術基盤の通信を行って、周波数やパワーを追加で使用しなくても送信／受信アンテナ数と比例する伝送容量利得を期待することができる多様な技術が登場し、その代表的な技術としてはＭＩＭＯ（Multiple Input Multiple Output）技術がある。
【０００５】
ＭＩＭＯ技術の通信システムで伝送容量利得を得る最も大きい部分は、ビームフォーミングを通したダイバーシティ（Diversity）利得とマルチプレキシング（Multiplexing）利得である。
【０００６】
一方、通信システムでは、同一の周波数無線リソースを時間によってＵＬ又はＤＬに可変割り当てして使うＴＤＤ（Time Division Duplex）を採用することができる。
【０００７】
特に、ＴＤＤを採用した通信システムでは、アップリンク／ダウンリンク割合を調節することにより、ＵＬ／ＤＬトラフィックに適応に対応することができるＤｙｎａｍｉｃ ＴＤＤを採用する傾向がある。
【０００８】
また、大容量データ／高速伝送のための移動通信網の発展につれて、今後、高速移動時にも高速低遅延の通信を支援する移動通信網環境、例えば５世代移動通信網（以下、５Ｇ）環境として発展する。
【０００９】
一方、移動通信網環境で、送／受信装置間の優れた通信性能のためには、相互に参照信号を送受信することにより送／受信装置間の無線環境を適応に制御することが非常に重要であり、４世代移動通信網（ＬＴＥ）環境では、参照信号として各サブフレームごとにＣＲＳ（Cell Specific Reference Signal）を固定的に伝送（送受信）する方式を採択している。
【００１０】
ところが、既存のＣＲＳは、今後登場することになる高速低遅延サービスの５Ｇ環境に適さない参照信号であるばかりか、Ｄｙｎａｍｉｃ ＴＤＤを全く活用することができないため、ＣＲＳの代わりとなり得る５Ｇ環境に適したＤｙｎａｍｉｃ  ＴＤＤ基盤の新たな参照信号（参照信号伝送方式）が必要である。
【００１１】
よって、本発明では、高速低遅延通信を支援するための移動通信網（５Ｇ）環境に適した新たな方式の参照信号伝送方案を提案しようとする。
【発明の概要】
【発明が解決しようとする課題】
【００１２】
本発明で到逹しようとする目的は、高速低遅延の通信を支援するための移動通信網（５Ｇ）環境に適した新たな参照信号伝送方式を実現することにある。
【課題を解決するための手段】
【００１３】
本発明の一実施例による参照信号伝送装置は、参照信号伝送のための無線リソースのサブフレーム内で、データチャネルによって決定される特定時点に第１参照信号を伝送する第１参照信号伝送部；及び、上記無線リソースのサブフレーム内で、上記データチャネルによって決定される特定持続時間の間、第２参照信号を伝送する第２参照信号伝送部；を含む。
【００１４】
具体的に、上記特定時点及び上記特定持続時間は、上記データチャネルの伝送が割り当てられたシンボル区間によって決定されることができる。
【００１５】
具体的に、上記特定時点は、上記サブフレームを構成する多数のシンボルのうち、上記データチャネルの伝送が始まる上記シンボル区間内の一番目シンボルと同一の位置の特定シンボルであり得る。
【００１６】
具体的に、上記特定持続時間は、上記サブフレームを構成する多数のシンボルのうち、上記データチャネルが伝送される上記シンボル区間と同一の位置の特定シンボル区間であり得る。
【００１７】
具体的に、上記第１参照信号伝送部及び上記第２参照信号伝送部は、ダウンリンク伝送時と対比してアップリンク伝送の場合、上記第１参照信号及び上記第２参照信号のために割り当てる周波数リソース及び時間リソースのうち少なくとも一つを倍数として割り当てることができる。
【００１８】
具体的に、上記第１参照信号伝送部は、上記特定シンボルの周波数領域から、上記第１参照信号を伝送することができる。
【００１９】
具体的に、上記第２参照信号伝送部は、上記特定シンボル区間の周波数領域のうち上記第１参照信号を伝送しない残りの周波数ブロックのうちの一つから、上記第２参照信号を伝送することができる。
【００２０】
具体的に、上記第１参照信号伝送部は、同一受信装置に多数のアンテナビーム別に各第１参照信号を伝送する場合、上記特定シンボルの周波数領域をＦＤＭ（Frequency Division Multiplexing）処理して多数のアンテナビーム別に相互直交する２以上の周波数ブロックを割り当て、上記多数のアンテナビーム別に上記特定シンボルの周波数領域のうち割り当てられた２以上の周波数ブロックから各第１参照信号を伝送することができる。
【００２１】
具体的に、上記第２参照信号伝送部は、上記受信装置に上記多数のアンテナビーム別に各第２参照信号を伝送する場合、上記特定シンボル区間の周波数領域のうち相互直交する各周波数ブロックから、上記各第２参照信号を伝送することができる。
【００２２】
具体的に、上記多数のアンテナビーム別に、各第２参照信号を伝送する各周波数ブロックは、上記多数のアンテナビームのうち他のアンテナビームを通して第１参照信号を伝送する周波数ブロックのうちの一つに割り当てられて、相互直交するようになることができる。
【００２３】
具体的に、上記第１参照信号伝送部は、上記多数のアンテナビーム別に、上記特定シンボルの周波数領域のうち割り当てられた２以上の周波数ブロックから、他のアンテナビームを通して第２参照信号を伝送する周波数ブロックは除外して、各第１参照信号を伝送することができる。
【００２４】
本発明の一実施例による基地局又は端末による参照信号伝送方法は、参照信号伝送のための無線リソースのサブフレーム内で、データチャネルによって決定される特定時点に第１参照信号を伝送する第１参照信号伝送段階；及び、上記無線リソースのサブフレーム内で、上記データチャネルによって決定される特定持続時間の間、第２参照信号を伝送する第２参照信号伝送段階；を含むことができる。
【００２５】
具体的に、上記特定時点は、上記サブフレームを構成する多数のシンボルのうち、上記データチャネルの伝送が始まるシンボル区間内の一番目シンボルと同一の位置の特定シンボルであり得る。
【００２６】
具体的に、上記特定持続時間は、上記サブフレームを構成する多数のシンボルのうち、上記データチャネルが伝送されるシンボル区間と同一の位置の特定シンボル区間であり得る。
【００２７】
具体的に、上記第１参照信号伝送段階は、上記特定シンボルの周波数領域から上記第１参照信号を伝送し、上記第２参照信号伝送段階は、上記特定シンボル区間の周波数領域のうち上記第１参照信号を伝送しない残りの周波数ブロックのうちの一つから、上記第２参照信号を伝送することができる。
【００２８】
具体的に、上記第１参照信号伝送段階は、同一受信装置に多数のアンテナビーム別に各第１参照信号を伝送する場合、上記特定シンボルの周波数領域をＦＤＭ処理して多数のアンテナビーム別に相互直交する２以上の周波数ブロックを割り当て、上記多数のアンテナビーム別に上記特定シンボルの周波数領域のうち割り当てられた２以上の周波数ブロックから各第１参照信号を伝送することができる。
【００２９】
具体的に、上記第２参照信号伝送段階は、上記受信装置に上記多数のアンテナビーム別に各第２参照信号を伝送する場合、上記特定シンボル区間の周波数領域のうち相互直交する各周波数ブロックから、上記各第２参照信号を伝送することができる。
【００３０】
具体的に、上記多数のアンテナビーム別に、各第２参照信号を伝送する各周波数ブロックは、上記多数のアンテナビームのうち他のアンテナビームを通して第１参照信号を伝送する周波数ブロックのうちの一つに割り当てられて、相互直交するようになることができる。
【００３１】
具体的に、上記第１参照信号伝送段階は、上記多数のアンテナビーム別に、上記特定シンボルの周波数領域のうち割り当てられた２以上の周波数ブロックから、他のアンテナビームを通して第２参照信号を伝送する周波数ブロックは除外して、各第１参照信号を伝送することができる。
【発明の効果】
【００３２】
よって、本発明によると、高速低遅延の通信を支援するための移動通信網（５Ｇ）環境に適した新たな参照信号伝送方式を実現することにより、５Ｇ環境で高速低遅延性能を支援する効果を奏する。
【図面の簡単な説明】
【００３３】
【図１】本発明が提案する参照信号伝送方式が適用される通信システムを示した例示図である。
【図２】本発明の一実施例による参照信号伝送装置の構成を示した構成図である。
【図３】本発明の一実施例による参照信号伝送装置から単一のアンテナビームを通して参照信号を伝送するサブフレーム構造を示した例示図である。
【図４】本発明の一実施例による参照信号伝送装置のデュアルアンテナビームを通して参照信号を伝送するサブフレーム構造を示した例示図である。
【図５】本発明の一実施例による参照信号伝送方法において参照信号を伝送する流れを示した流れ図である。
【発明を実施するための形態】
【００３４】
本明細書で使われている技術的用語は単に特定の実施例を説明するために用いられたもので、本明細書に開示されている技術の思想を限定しようとする意図ではないことに留意しなければならない。また、本明細書で使われている技術的用語は、本明細書で特別に他の意味として定義されていない限り、本明細書に開示されている技術の属する分野で通常の知識を有する者によって一般的に理解される意味として解釈されなければならず、過度に包括的な又は縮小した意味として解釈されてはならない。また、本明細書で使われている技術的な用語が本明細書に開示されている技術の思想を正確に表現できていない誤った技術的用語であるときは、当業者が正しく理解できる技術的用語に替えて理解されなければならない。また、本明細書で使われている一般的な用語は、辞書に定義されているところ、又は前後の文脈上によって解釈されなければならず、過度に縮小した意味として解釈されてはならない。
【００３５】
また、本明細書で使われている単数の表現は、文脈上明白に異なる意味をなさない限り、複数の表現を含む。本明細書で、“構成される”又は“含む”などの用語は、明細書上に記載されている色々な構成要素、又は色々な段階を必ず全て含むものと解釈されてはならず、そのうち一部の構成要素又は一部の段階は含まれないこともあり、又は追加の構成要素又は段階を更に含むこともあると解釈されなければならない。
【００３６】
また、本明細書で使われている第１、第２などのように序数を含む用語は、多様な構成要素を説明するにあたって使われ得るが、上記構成要素は上記用語によって限定されてはならない。上記用語は一つの構成要素を他の構成要素から区別する目的でのみ使われる。例えば、本発明の権利範囲を逸脱しない範囲で、第１構成要素は第２構成要素と命名されることができ、同様に第２構成要素も第１構成要素と命名されることができる。
【００３７】
以下、添付図面を参照しながら本明細書に開示されている実施例を詳しく説明するが、図面符号にかかわらず同一又は類似の構成要素は同一の参照番号を付与し、これに関して重複する説明は省略することにする。
【００３８】
また、本明細書に開示されている技術を説明するにあたって、関連する公知技術に関する具体的な説明が本明細書に開示されている技術の要旨を不明瞭にすると判断される場合、その詳細な説明を省略する。また、添付図面は本明細書に開示されている技術の思想を容易に理解できるようにするためのものであるだけで、添付図面によってその技術の思想が制限されることと解釈されてはならないことに留意しなければならない。
【００３９】
以下、本発明の一実施例を例示的な図面を通して詳しく説明する。各図面の構成要素に参照符号を付加するにあたって、同一の構成要素に対しては、たとえ他の図面上に表示されても、なるべく同一の符号を有するようにしていることに留意しなければならない。また、本発明を説明するにあたって、関連する公知構成又は機能に関する具体的な説明が本発明の要旨を不明瞭にし得ると判断される場合は、その詳しい説明は省略する。
【００４０】
以下、添付図面を参照しながら本発明の一実施例に関して説明する。
【００４１】
図１は、本発明が適用される通信システムを示した例示図である。
【００４２】
本発明は、高速低遅延の通信を支援するための移動通信網環境、すなわち５Ｇ環境に適した新たな参照信号伝送方式を提案する。
【００４３】
したがって、本発明の参照信号伝送方式が実現される参照信号伝送装置は、移動通信網基盤の通信サービスを利用する装置である。
【００４４】
よって、本発明の参照信号伝送装置は、最も代表的なものとして、図１に示されている基地局１００及び端末１０である。
【００４５】
このとき、基地局１００及び端末１０は、単一のアンテナビームを通して通信サービスを提供／利用することもでき（ＳＩＳＯ，Single Input Single Output）、この場合、後述する本発明の参照信号伝送方式も単一のアンテナビームを通して相互に参照信号を伝送する。
【００４６】
勿論、基地局１００及び端末１０は、多数のアンテナビームを通して通信サービスを提供／利用することもでき（ＭＩＭＯ）、この場合、後述する本発明の参照信号伝送方式も多数のアンテナビームを通して相互に参照信号を伝送する。
【００４７】
但し、今後登場することになる高速低遅延の移動通信網環境すなわち５Ｇ環境では、大容量データ／高速伝送のために発展している傾向に応じてＭＩＭＯ技術を採択するはずであるため、図１でもＭＩＭＯ技術の通信システムを示している。
【００４８】
すなわち、図１では、説明の便宜のために、基地局１００及び端末１０が多数のアンテナビーム（例：デュアルアンテナビーム）を通して通信サービスを提供／利用する実施例を示している。
【００４９】
また、本発明が適用される通信システムでは、同一の周波数無線リソースを時間によってＵＬ又はＤＬに可変割り当てして使うＴＤＤ（Time Division Duplex）を採用し、特に、アップリンク／ダウンリンク割合を調節することにより、ＵＬ／ＤＬトラフィックに適応に対応することが可能なＤｙｎａｍｉｃ ＴＤＤを採用することを前提とする。
【００５０】
そして、本発明では、基地局１００が端末１０に参照信号を伝送するダウンリンク伝送方式と、端末１０が基地局１００に参照信号を伝送するアップリンク伝送方式とを、相互同一のパターンとして定義する。
【００５１】
したがって、本発明の参照信号伝送装置は、基地局１００であっても端末１０であってもよい。
【００５２】
すなわち、本発明の参照信号伝送装置として基地局１００は、ダウンリンク参照信号伝送のための無線リソースのサブフレーム内で、データチャネルによって決定される特定時点に第１参照信号を伝送し、上記データチャネルによって決定される特定持続時間の間、第２参照信号を伝送する。
【００５３】
一方、本発明の参照信号伝送装置として端末１０は、アップリンク参照信号伝送のための無線リソースのサブフレーム内で、データチャネルによって決定される特定時点に第１参照信号を伝送し、上記データチャネルによって決定される特定持続時間の間、第２参照信号を伝送する。
【００５４】
図２を参照して、本発明の一実施例による参照信号伝送装置について説明する。
【００５５】
但し、図２では、説明の便宜のために、本発明の参照信号伝送装置として基地局１００を言及して説明する。したがって、以下の説明では、本発明の参照信号伝送装置１００が伝送する参照信号とは、端末１０に伝送される信号を意味する。
【００５６】
図２に示されているように、本発明の参照信号伝送装置１００は、参照信号伝送のための無線リソースのサブフレーム内で、データチャネルによって決定される特定時点に第１参照信号を伝送する第１参照信号伝送部１１０と、上記無線リソースのサブフレーム内で、上記データチャネルによって決定される特定持続時間の間、第２参照信号を伝送する第２参照信号伝送部１２０とを含む。
【００５７】
サブフレーム内で第１参照信号を伝送する特定時点は、サブフレーム内のデータチャネルの伝送が割り当てられたシンボル区間によって決定される。
【００５８】
サブフレーム内で第２参照信号を伝送する特定持続時間は、サブフレーム内のデータチャネルの伝送が割り当てられたシンボル区間によって決定される。
【００５９】
すなわち、本発明の参照信号伝送方式が有する核心は、サブフレーム内のデータチャネルの伝送が割り当てられたシンボル区間（以下、データチャネルシンボル区間）の位置によって、第１参照信号を伝送する特定時点を異にし、第２参照信号を伝送する特定持続時間を異にする、Ｄｙｎａｍｉｃ ＴＤＤ基盤の参照信号伝送方式であるという点である。
【００６０】
以下では、本発明の参照信号伝送方式をより具体的に説明する。
【００６１】
第１参照信号は、ＤＭ−ＲＳ（Demodulation Reference Signal）である。
【００６２】
すなわち、本発明では、既存のＣｅｌｌ ｓｐｅｃｉｆｉｃのＣＲＳの代わりとなり得る５Ｇ環境に適したＤｙｎａｍｉｃ ＴＤＤ基盤の新たな参照信号として、Ｕｓｅｒ ｓｐｅｃｉｆｉｃのＤＭ−ＲＳを提案している。
【００６３】
そして、サブフレーム内で第１参照信号すなわちＤＭ−ＲＳを伝送する特定時点は、サブフレームを構成する多数のシンボルのうち、データチャネルの伝送が始まるデータチャネルシンボル区間内の一番目シンボルと同一の位置の特定シンボルである。
【００６４】
図３は、参照信号伝送装置１００から単一のアンテナビームを通して参照信号を伝送するサブフレーム（以下、参照信号サブフレーム）構造を示している。
【００６５】
図３に示されているように、参照信号伝送のための無線リソースのサブフレームすなわち参照信号サブフレームは、多数のシンボル、例えば１４個のＯＤＦＭシンボルからなる。
【００６６】
よって、第１参照信号伝送部１１０が、第１参照信号すなわちＤＭ−ＲＳを伝送するために、参照信号サブフレーム構造を構成する機能（方法）を具体的に説明すると、次の通りである。
【００６７】
まず、第１参照信号伝送部１１０は、データ伝送のための無線リソースのサブフレーム（以下、データサブフレーム）でデータチャネルの伝送が割り当てられたシンボル区間、すなわちデータチャネルシンボル区間を認知する。
【００６８】
例えば、データチャネルシンボル区間は、１４個のＯＤＦＭシンボル（シンボル０〜１３）からなるデータサブフレームで３番目シンボル（シンボル２）から１２番目シンボル（シンボル１１）まで割り当てられたと仮定する。
【００６９】
よって、第１参照信号伝送部１１０は、データチャネルシンボル区間（シンボル２〜１１）を認知すると、参照信号サブフレームを構成する１４個のシンボルのうち、データチャネルの伝送が始まるデータチャネルシンボル区間（シンボル２〜１１）内の一番目シンボル（シンボル２）と同一の位置の特定シンボル、すなわち参照信号サブフレーム内のシンボル２を第１参照信号すなわちＤＭ−ＲＳに割り当てる。
【００７０】
以後、第１参照信号伝送部１１０は、参照信号サブフレーム内の特定シンボルすなわちシンボル２の周波数領域から、ＤＭ−ＲＳを伝送する。
【００７１】
図３の場合、第１参照信号伝送部１１０は、シンボル２の周波数領域で連続する２個周波数ブロック単位を間欠的に割り当て、割り当てられた周波数ブロックからＤＭ−ＲＳを伝送している。
【００７２】
勿論、図３に示されている割り当て方式の他にも、多様な方式により、シンボル２の周波数領域でＤＭ−ＲＳの伝送のための周波数ブロックを割り当てることができる。
【００７３】
整理すれば、本発明で提案する参照信号サブフレーム構造は、参照信号サブフレーム内のデータチャネル伝送が始まる一番目シンボル（例：シンボル２）と同じ位置のシンボル周波数領域からＤＭ−ＲＳを伝送することにより、ＤＭ−ＲＳを受信することになる受信装置すなわち端末２０をして、参照信号伝送装置１００（基地局）がデータチャネルシンボル区間（シンボル２〜１１）の間伝送するデータチャネルを受信し始める時点（シンボル２）にＤＭ−ＲＳを受信させるように設計される。
【００７４】
すると、受信装置すなわち端末２０では、データチャネル受信が始まるとき、ＤＭ−ＲＳも受信し、直ちにＤＭ−ＲＳ基盤のデータチャネルＤｅｍｏｄｕｌａｔｉｏｎを遂行することができるため、５Ｇ環境で志向する高速低遅延性能を支援することができる。
【００７５】
第２参照信号は、Ｔｒａｃｋｉｎｇ  ＲＳである。
【００７６】
すなわち、本発明では、４世代移動通信網（ＬＴＥ）環境で使用（定義）しない、ビームトラッキング（Ｔｒａｃｋｉｎｇ）及びビームスイッチング（Ｓｗｉｔｃｈｉｎｇ）のための５Ｇ環境に適したＤｙｎａｍｉｃ ＴＤＤ基盤の新たな参照信号として、Ｔｒａｃｋｉｎｇ ＲＳを提案している。
【００７７】
そして、サブフレーム内で第２参照信号すなわちＴｒａｃｋｉｎｇ ＲＳを伝送する特定持続時間は、サブフレームを構成する多数のシンボルのうち、データチャネルが伝送されるデータチャネルシンボル区間と同一の位置の特定シンボル区間である。
【００７８】
以下では、図３を参照して、第２参照信号伝送部１２０が、第２参照信号すなわちＴｒａｃｋｉｎｇ ＲＳを伝送するために、参照信号サブフレーム構造を構成する機能（方法）を具体的に説明すると、次の通りである。
【００７９】
先ず、第２参照信号伝送部１２０は、データ伝送のための無線リソースのサブフレーム（以下、データサブフレーム）でデータチャネルの伝送が割り当てられたシンボル区間、すなわちデータチャネルシンボル区間を認知する。
【００８０】
上述の例示のように、データチャネルシンボル区間は、１４個のＯＤＦＭシンボル（シンボル０〜１３）からなるデータサブフレームで３番目シンボル（シンボル２）から１２番目シンボル（シンボル１１）まで割り当てられたと仮定する。
【００８１】
よって、第２参照信号伝送部１２０は、データチャネルシンボル区間（シンボル２〜１１）を認知すると、参照信号サブフレームを構成する１４個のシンボルのうち、データチャネルが伝送されるデータチャネルシンボル区間（シンボル２〜１１）と同一の位置の特定シンボル区間Ｄすなわち参照信号サブフレーム内の３番目シンボル（シンボル２）から１２番目シンボル（シンボル１１）までを、第２参照信号すなわちＴｒａｃｋｉｎｇ  ＲＳに割り当てる。
【００８２】
以後、第２参照信号伝送部１２０は、参照信号サブフレーム内の特定シンボル区間（Ｄ＝シンボル２〜１１）の周波数領域のうちＤＭ−ＲＳを伝送（割り当て）しない残りの周波数ブロックのうちの一つから、Ｔｒａｃｋｉｎｇ  ＲＳを伝送する。
【００８３】
図３の場合、第２参照信号伝送部１２０は、参照信号サブフレーム内の特定シンボル区間（Ｄ＝シンボル２〜１１）の周波数領域のうちＤＭ−ＲＳを伝送（割り当て）しない残りの周波数ブロックのうちのｂｌｏｃｋ＿ａから、Ｔｒａｃｋｉｎｇ  ＲＳを伝送している。
【００８４】
整理すれば、本発明で提案する参照信号サブフレーム構造は、参照信号サブフレーム内のデータチャネル伝送が持続されるシンボル区間（例：シンボル２〜１１）と同じ位置のシンボル区間の周波数ブロックからＴｒａｃｋｉｎｇ ＲＳを伝送することにより、Ｔｒａｃｋｉｎｇ ＲＳを受信することになる受信装置すなわち端末２０をして、参照信号伝送装置１００（基地局）がデータチャネルを伝送するデータチャネルシンボル区間（シンボル２〜１１）の間、持続的にＴｒａｃｋｉｎｇ ＲＳを受信させるように設計される。
【００８５】
すると、受信装置すなわち端末２０では、高速移動によって周波数のオフセットが発生しても、データチャネルが受信される時間の間、Ｔｒａｃｋｉｎｇ ＲＳを受信し、Ｔｒａｃｋｉｎｇ ＲＳ基盤のビームトラッキング（Ｔｒａｃｋｉｎｇ）及びビームスイッチング（Ｓｗｉｔｃｈｉｎｇ）を問題なく遂行することができるため、５Ｇ環境で志向する高速低遅延性能を支援することができる。
【００８６】
図４を参照して参照信号伝送装置１００から多数のアンテナビームを通して参照信号を伝送する実施例を説明する。
【００８７】
第１参照信号伝送部１１０は、同一受信装置すなわち一つの端末１０に多数のアンテナビーム別に各第１参照信号すなわち各ＤＭ−ＲＳを伝送する場合、上述の特定シンボルすなわちシンボル２の周波数領域をＦＤＭ処理して多数のアンテナビーム別に相互直交する２以上の周波数ブロックを割り当て、多数のアンテナビーム別にシンボル２の周波数領域のうち割り当てられた２以上の周波数ブロックから各ＤＭ−ＲＳを伝送する。
【００８８】
以下の説明では、基地局１００及び端末１０がデュアルアンテナビームを通して参照信号を伝送する場合を説明する。
【００８９】
図４は、参照信号伝送装置１００からデュアルアンテナビームｂ１０、ｂ２０を通して参照信号を伝送するサブフレーム（以下、参照信号サブフレーム）構造を示している。
【００９０】
図４を参照して、第１参照信号伝送部１１０が、デュアルアンテナビームｂ１０、ｂ２０別に各ＤＭ−ＲＳを伝送するために、参照信号サブフレーム構造を構成する機能（方法）を具体的に説明すると、次の通りである。
【００９１】
第１参照信号伝送部１１０は、図３を参照した単一のアンテナビームを通した参照信号伝送時と同一に、参照信号サブフレームを構成する１４個のシンボルのうち、データチャネルの伝送が始まるデータチャネルシンボル区間（シンボル２〜１１）内の一番目シンボル（シンボル２）と同一の位置の特定シンボル、すなわち参照信号サブフレーム内のシンボル２を第１参照信号すなわちＤＭ−ＲＳに割り当てる。
【００９２】
以後、第１参照信号伝送部１１０は、参照信号サブフレーム内のシンボル２の周波数領域をＦＤＭ処理して、デュアルアンテナビームｂ１０、ｂ２０別に相互直交する２以上の周波数ブロックを割り当てる。
【００９３】
図４の場合、第１参照信号伝送部１１０は、シンボル２の周波数領域を連続する２個周波数ブロック単位でＦＤＭ処理して、アンテナビームｂ１０及びアンテナビームｂ２０別に相互直交する２以上の周波数ブロックを割り当てる。
【００９４】
勿論、図４に示されている割り当て方式の他にも、多様な方式により、シンボル２の周波数領域をＦＤＭ処理してデュアルアンテナビームｂ１０、ｂ２０別に相互直交するように割り当てることができる。
【００９５】
よって、第１参照信号伝送部１１０は、デュアルアンテナビームｂ１０、ｂ２０別に、シンボル２の周波数領域のうちＦＤＭ処理して割り当てられた２以上の周波数ブロックから各ＤＭ−ＲＳを伝送する。
【００９６】
このとき、第１参照信号伝送部１１０は、デュアルアンテナビームｂ１０、ｂ２０別に、シンボル２の周波数領域のうちＦＤＭ処理して他のアンテナビームに割り当てられた周波数ブロックは信号を伝送することがないように除外（Ｐｕｎｃｔｕｒｅｄ）させることにより、相互直交性を保障することができる。
【００９７】
整理すれば、本発明で提案する参照信号サブフレーム構造は、参照信号サブフレーム内のデータチャネル伝送が始まる一番目シンボル（例：シンボル２）と同じ位置のシンボル周波数領域から、デュアルアンテナビームｂ１０，ｂ２０別にＦＤＭ処理して相互直交する各ＤＭ−ＲＳを伝送することにより、デュアルアンテナビームｂ１０，ｂ２０別に各ＤＭ−ＲＳを受信することになる端末２０をして、参照信号伝送装置１００（基地局）からデュアルアンテナビームｂ１０，ｂ２０別にデータチャネルを受信し始める時点（シンボル２）に該当する各ＤＭ−ＲＳを受信させるように設計される。
【００９８】
一方、第２参照信号伝送部１２０は、受信装置すなわち端末１０に多数のアンテナビーム別に各第２参照信号すなわち各Ｔｒａｃｋｉｎｇ ＲＳを伝送する場合、上述の特定シンボル区間すなわちシンボル区間（シンボル２〜１１）の周波数領域のうち相互直交する各周波数ブロックから、各Ｔｒａｃｋｉｎｇ ＲＳを伝送する。
【００９９】
図４を参照して、第２参照信号伝送部１２０が、デュアルアンテナビームｂ１０、ｂ２０別に各Ｔｒａｃｋｉｎｇ ＲＳを伝送するために、参照信号サブフレーム構造を構成する機能（方法）を具体的に説明すると、次の通りである。
【０１００】
先ず、第２参照信号伝送部１２０は、図３を参照した単一のアンテナビームを通した参照信号伝送時と同一に、参照信号サブフレームを構成する１４個のシンボルのうち、データチャネルが伝送されるデータチャネルシンボル区間（シンボル２〜１１）と同一の位置の特定シンボル区間（Ｄ＝シンボル２〜１１）をＴｒａｃｋｉｎｇ ＲＳに割り当てる。
【０１０１】
以後、第２参照信号伝送部１２０は、デュアルアンテナビームｂ１０、ｂ２０別に、参照信号サブフレーム内の特定シンボル区間（Ｄ＝シンボル２〜１１）の周波数領域のうち相互直交する各周波数ブロックを割り当てる。
【０１０２】
このとき、多数のアンテナビーム別に、各Ｔｒａｃｋｉｎｇ ＲＳを伝送する各周波数ブロックは、多数のアンテナビームのうち他のアンテナビームを通してＤＭ−ＲＳを伝送する周波数ブロックのうちの一つに割り当てられて、相互直交することになる。
【０１０３】
すなわち、図４に示されているように、デュアルアンテナビームｂ１０、ｂ２０別に各Ｔｒａｃｋｉｎｇ ＲＳを伝送する各周波数ブロックｂｌｏｃｋ＿ａ及びｂｌｏｃｋ＿ｂは、周波数ブロックｂｌｏｃｋ＿ａの場合、他のアンテナビームすなわちアンテナビームｂ２０を通してＤＭ−ＲＳを伝送する周波数ブロックのうちの一つに割り当てられ、周波数ブロックｂｌｏｃｋ＿ｂの場合、他のアンテナビームすなわちアンテナビームｂ１０を通してＤＭ−ＲＳを伝送する周波数ブロックのうちの一つに割り当てられる。
【０１０４】
このような方式により、デュアルアンテナビームｂ１０、ｂ２０別にＴｒａｃｋｉｎｇ ＲＳ伝送のために割り当てられる各周波数ブロックｂｌｏｃｋ＿ａ及びｂｌｏｃｋ＿ｂは、デュアルアンテナビームｂ１０、ｂ２０別にＤＭ−ＲＳを伝送する周波数ブロックがＦＤＭ処理によって相互直交性を有するため、この点に起因して相互直交することになるのである。
【０１０５】
また、上述のような方式によりデュアルアンテナビームｂ１０、ｂ２０別に各周波数ブロックｂｌｏｃｋ＿ａ及びｂｌｏｃｋ＿ｂを割り当てる実施例の場合、第１参照信号伝送部１１０は、デュアルアンテナビームｂ１０、ｂ２０別に、特定シンボル２の周波数領域のうち割り当てられた２以上の周波数ブロックから、他のアンテナビームを通してＴｒａｃｋｉｎｇ ＲＳを伝送する周波数ブロックは除外（Ｐｕｎｃｔｕｒｅｄ）して、各ＤＭ−ＲＳを伝送する。
【０１０６】
すなわち、第１参照信号伝送部１１０は、アンテナビームｂ１０の場合、シンボル２の周波数領域のうち割り当てられた２以上の周波数ブロックから、他のアンテナビームすなわちアンテナビームｂ２０を通してＴｒａｃｋｉｎｇ ＲＳを伝送する周波数ブロックｂｌｏｃｋ＿ｂは除外（Ｐｕｎｃｔｕｒｅｄ）して、ＤＭ−ＲＳを伝送する。
【０１０７】
また、第１参照信号伝送部１１０は、アンテナビームｂ２０の場合、シンボル２の周波数領域のうち割り当てられた２以上の周波数ブロックから、他のアンテナビームすなわちアンテナビームｂ１０を通してＴｒａｃｋｉｎｇ ＲＳを伝送する周波数ブロックｂｌｏｃｋ＿ａは除外（Ｐｕｎｃｔｕｒｅｄ）して、ＤＭ−ＲＳを伝送する。
【０１０８】
よって、図４の場合、第２参照信号伝送部１２０は、デュアルアンテナビームｂ１０、ｂ２０別に、参照信号サブフレーム内の特定シンボル区間（Ｄ＝シンボル２〜１１）の周波数領域のうち相互直交する各周波数ブロックｂｌｏｃｋ＿ａ及びｂｌｏｃｋ＿ｂから各Ｔｒａｃｋｉｎｇ ＲＳを伝送する。
【０１０９】
このとき、第２参照信号伝送部１２０は、デュアルアンテナビームｂ１０、ｂ２０別に、特定シンボル区間（Ｄ＝シンボル２〜１１）の周波数領域のうち他のアンテナビームに割り当てられた周波数ブロックは信号を伝送することがないよう除外（Ｐｕｎｃｔｕｒｅｄ）させることにより、相互直交性を保障することができる。
【０１１０】
整理すれば、本発明で提案する参照信号サブフレーム構造は、参照信号サブフレーム内のデータチャネル伝送が持続されるシンボル区間（例：シンボル２〜１１）と同じ位置のシンボル区間の周波数ブロックから、デュアルアンテナビームｂ１０，ｂ２０別に相互直交するＴｒａｃｋｉｎｇ ＲＳを伝送することにより、デュアルアンテナビームｂ１０，ｂ２０別に各Ｔｒａｃｋｉｎｇ ＲＳを受信することになる端末２０をして、参照信号伝送装置１００（基地局）からデュアルアンテナビームｂ１０，ｂ２０別にデータチャネルを受信するデータチャネルシンボル区間（シンボル２〜１１）の間持続的に該当する各Ｔｒａｃｋｉｎｇ ＲＳを受信させることができるように設計される。
【０１１１】
本発明では、基地局１００が端末１０に参照信号を伝送するダウンリンク伝送方式と、端末１０が基地局１００に参照信号を伝送するアップリンク伝送方式とを、同一のパターンとして定義した。
【０１１２】
したがって、本発明の参照信号伝送装置が端末１０である場合のアップリンク参照信号伝送時にも本発明は同一に適用されることができる。
【０１１３】
但し、基地局１００と対比して端末１０の送信出力が低いため、本発明の参照信号伝送装置が端末１０であるアップリンクの場合は、本発明の参照信号伝送装置が基地局１００であるダウンリンクの場合と対比して、第１参照信号（ＤＭ−ＲＳ）及び第２参照信号（Ｔｒａｃｋｉｎｇ ＲＳ）のために割り当てる周波数リソース（周波数ブロック）及び時間リソース（シンボル）をより多く割り当てることができる。
【０１１４】
すなわち、第１参照信号伝送部１１０は、ダウンリンク伝送時と対比してアップリンク伝送の場合、第１参照信号（ＤＭ−ＲＳ）のために割り当てる周波数リソース（周波数ブロック）及び時間リソース（シンボル）のうち少なくとも一つをより多く割り当て、例えば倍数として割り当てることができる。
【０１１５】
また、第２参照信号伝送部１２０は、ダウンリンク伝送時と対比してアップリンク伝送の場合、第２参照信号（Ｔｒａｃｋｉｎｇ ＲＳ）のために割り当てる周波数リソース（周波数ブロック）及び時間リソース（シンボル）のうち少なくとも一つをより多く割り当て、例えば倍数として割り当てることができる。
【０１１６】
ここで、周波数リソース（周波数ブロック）及び時間リソース（シンボル）のうちいずれのリソースをどれくらいより多く割り当てるか（例：倍数）は、端末１０（参照信号伝送装置）が基地局１００に最初接続する初期接続時、基地局１００の制御チャネルを通して決定される。
【０１１７】
例えば、図３に示されている例示は、単一のアンテナビームを通してアップリンク参照信号を伝送する場合と仮定することができる。
【０１１８】
このような仮定の下で、第１参照信号伝送部１１０は、シンボル２の周波数領域で連続する４個周波数ブロック単位を間欠的に割り当て、割り当てられた周波数ブロックからＤＭ−ＲＳを伝送することにより、ダウンリンク伝送時と対比してアップリンク伝送の場合、第１参照信号（ＤＭ−ＲＳ）のために周波数リソース（周波数ブロック）を倍数として割り当てることができる。
【０１１９】
又は、第１参照信号伝送部１１０は、データチャネルの一番目シンボル（シンボル２）と同一の位置のシンボル２と、シンボル２の隣合うその前のシンボル１又は隣合うその後のシンボル３、すなわちシンボル２＋シンボル１又は３の周波数領域で連続する２個周波数ブロック単位を間欠的に割り当て、割り当てられた周波数ブロックからＤＭ−ＲＳを伝送することにより、ダウンリンク伝送時と対比してアップリンク伝送の場合、第１参照信号（ＤＭ−ＲＳ）のために時間リソース（シンボル）を倍数として割り当てることができる。
【０１２０】
又は、第１参照信号伝送部１１０は、シンボル２＋シンボル１又は３の周波数領域で連続する４個周波数ブロック単位を間欠的に割り当て、割り当てられた周波数ブロックからＤＭ−ＲＳを伝送することにより、ダウンリンク伝送時と対比してアップリンク伝送の場合、第１参照信号（ＤＭ−ＲＳ）のために周波数リソース（周波数ブロック）及び時間リソース（シンボル）を倍数として割り当てることができる。
【０１２１】
一方、第２参照信号伝送部１２０は、参照信号サブフレーム内の特定シンボル区間（Ｄ＝シンボル２〜１１）の周波数領域のうちＤＭ−ＲＳを伝送（割り当て）しない残りの周波数ブロックのうちのｂｌｏｃｋ＿ａ及びｂｌｏｃｋ＿ｘ（図示せず）から、Ｔｒａｃｋｉｎｇ  ＲＳを伝送することにより、ダウンリンク伝送時と対比してアップリンク伝送の場合、第２参照信号（Ｔｒａｃｋｉｎｇ  ＲＳ）のために周波数リソース（周波数ブロック）を倍数として割り当てることができる。
【０１２２】
又は、第２参照信号伝送部１２０は、データチャネルシンボル区間（シンボル２〜１１）と同一の位置の特定シンボル区間（Ｄ＝シンボル２〜１１）と、シンボル２の隣合うシンボル（Ｌ個）及びシンボル１１の隣合うシンボル（Ｍ個）、すなわち特定シンボル区間（シンボル２〜１１）＋シンボル（Ｌ＋Ｍ＝Ｄ）の周波数領域のうちＤＭ−ＲＳを伝送（割り当て）しない残りの周波数ブロックのうちのｂｌｏｃｋ＿ａから、Ｔｒａｃｋｉｎｇ ＲＳを伝送することにより、ダウンリンク伝送時と対比してアップリンク伝送の場合、第２参照信号（Ｔｒａｃｋｉｎｇ ＲＳ）のために時間リソース（シンボル）を倍数として割り当てることができる。
【０１２３】
又は、第２参照信号伝送部１２０は、特定シンボル区間（シンボル２〜１１）＋シンボル（Ｌ＋Ｍ＝Ｄ）の周波数領域のうちＤＭ−ＲＳを伝送（割り当て）しない残りの周波数ブロックのうちのｂｌｏｃｋ＿ａ及びｂｌｏｃｋ＿ｘ（図示せず）から、Ｔｒａｃｋｉｎｇ ＲＳを伝送することにより、ダウンリンク伝送時と対比してアップリンク伝送の場合、第２参照信号（Ｔｒａｃｋｉｎｇ ＲＳ）のために周波数リソース（周波数ブロック）及び時間リソース（シンボル）を倍数として割り当てることができる。
【０１２４】
また、多数のアンテナビーム（例：デュアルアンテナビーム）を通して参照信号を伝送する場合にも、第１参照信号伝送部１１０及び第２参照信号伝送部１２０は、上述のようにダウンリンク伝送時と対比してアップリンク伝送の場合、第１参照信号（ＤＭ−ＲＳ）及び第２参照信号（Ｔｒａｃｋｉｎｇ ＲＳ）のために割り当てる周波数リソース（周波数ブロック）及び時間リソース（シンボル）のうち少なくとも一つをより多く割り当て、例えば倍数として割り当てることができる。
【０１２５】
現在論議中の５Ｇ標準では、各サブフレームごとに固定的に伝送（送受信）しているＣＲＳを伝送しない方向で設計されており、既存のＣＲＳを通して遂行しているデータチャネルＤｅｍｏｄｕｌａｔｉｏｎの代わりとなる参照信号が必要な状況である。
【０１２６】
また、５Ｇ  Ｆｒａｍｅ  Ｓｔｒｕｃｔｕｒｅで高速低遅延のサービスのために定義しているＳｅｌｆ−ｃｏｎｔａｉｎｅｄ  ｓｕｂｆｒａｍｅ構造を支援するためには、Ｆａｓｔ  ｐｒｏｃｅｓｓｉｎｇ及びＤｙｎａｍｉｃ ＴＤＤ基盤のＤＬ／ＵＬ Ｓｕｂｆｒａｍｅ Ｔｙｐｅ支援のための参照信号が必要な状況である。
【０１２７】
本発明は、高速低遅延の通信を支援するための５Ｇ環境に適したＤｙｎａｍｉｃ  ＴＤＤ基盤の新たなＤＭ−ＲＳ及びＴｒａｃｋｉｎｇ ＲＳ伝送方式を提案することにより、上述の状況的なイシューを満たすことができる。
【０１２８】
以上で説明したように、本発明の参照信号伝送装置は、今後登場することになる５Ｇ環境、すなわち高速低遅延の通信を支援するための移動通信網環境に適した新たな参照信号伝送方式を実現することにより、５Ｇ環境で高速低遅延性能を支援する効果を奏する。
【０１２９】
以下では、図５を参照して本発明の一実施例による参照信号伝送方法について具体的に説明する。
【０１３０】
説明の便宜のために、参照信号伝送装置として、先の説明と一致するように基地局１００を言及して説明する。
【０１３１】
本発明による基地局１００の参照信号伝送方法は、データ伝送のための無線リソースのサブフレーム（以下、データサブフレーム）でデータチャネルの伝送が割り当てられたシンボル区間、すなわちデータチャネルシンボル区間を認知する（Ｓ１００）。
【０１３２】
例えば、データチャネルシンボル区間は、１４個のＯＤＦＭシンボル（シンボル０〜１３）からなるデータサブフレームで３番目シンボル（シンボル２）から１２番目シンボル（シンボル１１）まで割り当てられたと仮定する。
【０１３３】
そして、本発明による基地局１００の参照信号伝送方法は、参照信号伝送のための無線リソースのサブフレームすなわち参照信号サブフレームで、ＤＭ−ＲＳを伝送するための特定時点（シンボル）をデータチャネルシンボル区間すなわちデータチャネルの位置によって決定する（Ｓ１１０）。
【０１３４】
具体的に、本発明による基地局１００の参照信号伝送方法は、参照信号サブフレームを構成する１４個のシンボルのうち、データチャネルの伝送が始まるデータチャネルシンボル区間（シンボル２〜１１）内の一番目シンボル（シンボル２）と同一の位置の特定シンボル、すなわち参照信号サブフレーム内のシンボル２を第１参照信号すなわちＤＭ−ＲＳに割り当てる。
【０１３５】
一方、本発明による基地局１００の参照信号伝送方法は、参照信号伝送のための無線リソースのサブフレームすなわち参照信号サブフレームで、Ｔｒａｃｋｉｎｇ  ＲＳを伝送するための特定持続時間（シンボル区間）をデータチャネルシンボル区間すなわちデータチャネルの位置によって決定する（Ｓ１２０）。
【０１３６】
具体的に、本発明による基地局１００の参照信号伝送方法は、参照信号サブフレームを構成する１４個のシンボルのうち、データチャネルが伝送されるデータチャネルシンボル区間（シンボル２〜１１）と同一の位置の特定シンボル区間（Ｄ）すなわち参照信号サブフレーム内の３番目シンボル（シンボル２）から１２番目シンボル（シンボル１１）までを、第２参照信号すなわちＴｒａｃｋｉｎｇ ＲＳに割り当てる。
【０１３７】
以後、本発明による基地局１００の参照信号伝送方法は、単一のアンテナビームを通して参照信号を伝送する場合と、多数のアンテナビーム（例：デュアルアンテナビーム）を通して参照信号を伝送する場合とを区分して動作する（Ｓ１２５）。
【０１３８】
先ず、図３を参照して、単一のアンテナビームを通して参照信号を伝送する場合を説明する。
【０１３９】
本発明による基地局１００の参照信号伝送方法は、参照信号サブフレーム内の特定シンボルすなわちシンボル２の周波数領域から、ＤＭ−ＲＳを伝送する（Ｓ１３０）。
【０１４０】
図３の場合、本発明による基地局１００の参照信号伝送方法は、シンボル２の周波数領域で連続する２個周波数ブロック単位を間欠的に割り当て、割り当てられた周波数ブロックからＤＭ−ＲＳを伝送している。
【０１４１】
勿論、図３に示されている割り当て方式の他にも、多様な方式により、シンボル２の周波数領域でＤＭ−ＲＳ伝送のための周波数ブロックを割り当てることができる。
【０１４２】
また、本発明による基地局１００の参照信号伝送方法は、参照信号サブフレーム内の特定シンボル区間（Ｄ＝シンボル２〜１１）の周波数領域のうちＤＭ−ＲＳを伝送（割り当て）しない残りの周波数ブロックのうち割り当てられた周波数ブロックから、Ｔｒａｃｋｉｎｇ ＲＳを伝送する（Ｓ１４０）。
【０１４３】
図３の場合、本発明による基地局１００の参照信号伝送方法は、参照信号サブフレーム内の特定シンボル区間（Ｄ＝シンボル２〜１１）の周波数領域のうちＤＭ−ＲＳを伝送（割り当て）しない残りの周波数ブロックのうち割り当てられたｂｌｏｃｋ＿ａから、Ｔｒａｃｋｉｎｇ ＲＳを伝送している。
【０１４４】
一方、図４を参照して、多数のアンテナビーム（例：デュアルアンテナビーム）を通して参照信号を伝送する場合を説明する。
【０１４５】
本発明による基地局１００の参照信号伝送方法は、参照信号サブフレーム内のシンボル２の周波数領域をＦＤＭ処理して、デュアルアンテナビームｂ１０、ｂ２０別に相互直交する２以上の周波数ブロックを割り当てる（Ｓ１５０）。
【０１４６】
図４の場合、本発明による基地局１００の参照信号伝送方法は、シンボル２の周波数領域を連続する２個周波数ブロック単位でＦＤＭ処理して、アンテナビームｂ１０及びアンテナビームｂ２０別に相互直交する２以上の周波数ブロックを割り当てている。
【０１４７】
勿論、図４に示されている割り当て方式の他にも、多様な方式により、シンボル２の周波数領域をＦＤＭ処理してデュアルアンテナビームｂ１０、ｂ２０別に相互直交するように割り当てることができる。
【０１４８】
このとき、本発明による基地局１００の参照信号伝送方法は、デュアルアンテナビームｂ１０、ｂ２０別に、シンボル２の周波数領域のうちＦＤＭ処理して他のアンテナビームに割り当てられた周波数ブロックは信号を伝送することがないように除外（Ｐｕｎｃｔｕｒｅｄ）させることにより、相互直交性を保障する。
【０１４９】
また、本発明による基地局１００の参照信号伝送方法は、デュアルアンテナビームｂ１０、ｂ２０別に、参照信号サブフレーム内の特定シンボル区間（Ｄ＝シンボル２〜１１）の周波数領域のうち相互直交する各周波数ブロックを割り当てる（Ｓ１６０）。
【０１５０】
このとき、デュアルアンテナビームｂ１０、ｂ２０別に、各Ｔｒａｃｋｉｎｇ ＲＳを伝送する各周波数ブロックは、デュアルアンテナビームｂ１０、ｂ２０のうち他のアンテナビームを通してＤＭ−ＲＳを伝送する周波数ブロックのうちの一つに割り当てられて、相互直交することになる。
【０１５１】
すなわち、図４に示されているように、デュアルアンテナビームｂ１０、ｂ２０別に、各Ｔｒａｃｋｉｎｇ ＲＳを伝送する各周波数ブロックｂｌｏｃｋ＿ａ及びｂｌｏｃｋ＿ｂは、周波数ブロックｂｌｏｃｋ＿ａの場合、他のアンテナビームすなわちアンテナビームｂ２０を通してＤＭ−ＲＳを伝送する周波数ブロックのうちの一つに割り当てられ、周波数ブロックｂｌｏｃｋ＿ｂの場合、他のアンテナビームすなわちアンテナビームｂ１０を通してＤＭ−ＲＳを伝送する周波数ブロックのうちの一つに割り当てられる。
【０１５２】
このような方式により、デュアルアンテナビームｂ１０、ｂ２０別にＴｒａｃｋｉｎｇ ＲＳ伝送のために割り当てられる各周波数ブロックｂｌｏｃｋ＿ａ及びｂｌｏｃｋ＿ｂは、デュアルアンテナビームｂ１０、ｂ２０別にＤＭ−ＲＳを伝送する周波数ブロックがＦＤＭ処理によって相互直交性を有するため、この点に起因して相互直交するようになる。
【０１５３】
このとき、本発明による基地局１００の参照信号伝送方法は、デュアルアンテナビームｂ１０、ｂ２０別に、特定シンボル区間（Ｄ＝シンボル２〜１１）の周波数領域のうち他のアンテナビームに割り当てられた周波数ブロックは信号を伝送することがないように除外（Ｐｕｎｃｔｕｒｅｄ）させることにより、相互直交性を保障する。
【０１５４】
以後、本発明による基地局１００の参照信号伝送方法は、デュアルアンテナビームｂ１０、ｂ２０別に、シンボル２の周波数領域のうちＦＤＭ処理して割り当てられた２以上の周波数ブロックから各ＤＭ−ＲＳを伝送する（Ｓ１７０）。
【０１５５】
このとき、本発明による基地局１００の参照信号伝送方法は、上述のような方式によりデュアルアンテナビームｂ１０、ｂ２０別に各周波数ブロックｂｌｏｃｋ＿ａ及びｂｌｏｃｋ＿ｂを割り当てる実施例の場合、デュアルアンテナビームｂ１０、ｂ２０別に、特定シンボル２の周波数領域のうち割り当てられた２以上の周波数ブロックから、他のアンテナビームを通してＴｒａｃｋｉｎｇ ＲＳを伝送する周波数ブロックは除外（Ｐｕｎｃｔｕｒｅｄ）して、各ＤＭ−ＲＳを伝送する。
【０１５６】
すなわち、本発明による基地局１００の参照信号伝送方法は、アンテナビームｂ１０の場合、シンボル２の周波数領域のうち割り当てられた２以上の周波数ブロックから、他のアンテナビームすなわちアンテナビームｂ２０を通してＴｒａｃｋｉｎｇ ＲＳを伝送する周波数ブロックｂｌｏｃｋ＿ｂは除外（Ｐｕｎｃｔｕｒｅｄ）して、ＤＭ−ＲＳを伝送する。
【０１５７】
また、本発明による基地局１００の参照信号伝送方法は、アンテナビームｂ２０の場合、シンボル２の周波数領域のうち割り当てられた２以上の周波数ブロックから、他のアンテナビームすなわちアンテナビームｂ１０を通してＴｒａｃｋｉｎｇ  ＲＳを伝送する周波数ブロックｂｌｏｃｋ＿ａは除外（Ｐｕｎｃｔｕｒｅｄ）して、ＤＭ−ＲＳを伝送する。
【０１５８】
また、本発明による基地局１００の参照信号伝送方法は、デュアルアンテナビームｂ１０、ｂ２０別に、参照信号サブフレーム内の特定シンボル区間（Ｄ＝シンボル２〜１１）の周波数領域のうち相互直交する各周波数ブロックｂｌｏｃｋ＿ａ及びｂｌｏｃｋ＿ｂから各Ｔｒａｃｋｉｎｇ ＲＳを伝送する（Ｓ１８０）。
【０１５９】
以上で説明したように、本発明の参照信号伝送方法は、今後登場することになる５Ｇ環境、すなわち高速低遅延の通信を支援するための移動通信網環境に適した新たな参照信号伝送方式を実現することにより、５Ｇ環境で高速低遅延性能を支援する効果を奏する。
【０１６０】
一方、本明細書で説明する機能的な動作と主題の具現物は、デジタル電子回路で具現されるか、本明細書で開示する構造及びその構造的な等価物を含むコンピュータソフトウェア、ファームウェアあるいはハードウェアで具現されるか、これらのうち一つ以上の結合で具現されることができる。本明細書で説明する主題の具現物は、一つ以上のコンピュータプログラム製品、すなわち、処理システムの動作を制御するために或いはこれによる実行のために有形のプログラム保存媒体上にエンコードされたコンピュータプログラム命令に関する一つ以上のモジュールとして具現されることができる。
【０１６１】
コンピュータで読み取り可能な媒体は、機械で読み取り可能な保存装置、機械で読み取り可能な保存基板、メモリ装置、機械で読み取り可能な電波型信号に影響を及ぼす物質の組成物或いはこれらのうち一つ以上の組み合わせであり得る。
【０１６２】
本明細書で“システム”や“装置”とは、例えばプログラマブルプロセッサ、コンピュータあるいは多重プロセッサやコンピュータを含んでデータを処理するためのあらゆる機構、装置及び機械を包括する。処理システムは、ハードウェアに付け加えて、例えばプロセッサファームウェアを構成するコード、プロトコルスタック、データベース管理システム、オペレーティングシステムあるいはこれらのうち一つ以上の組み合わせなど、要請時コンピュータプログラムに対する実行環境を形成するコードを含むことができる。
【０１６３】
コンピュータプログラム（プログラム、ソフトウェア、ソフトウェアアプリケーション、スクリプトあるいはコードとしても知られている）は、コンパイル又は解釈された言語やアプリオリあるいは手続き型言語を含むプログラミング言語の如何なる形態でも作成されることができ、独立型プログラムやモジュール、コンポーネント、サブルーティンあるいはコンピュータ環境での使用に適した他のユニットを含み如何なる形態でも展開されることができる。コンピュータプログラムは、ファイルシステムのファイルに必ずしも対応するものではない。プログラムは、要請されたプログラムに提供される単一ファイル内に、あるいは多重の相互作用するファイル（例えば、一つ以上のモジュール、下位プログラムあるいはコードの一部を保存するファイル）内に、あるいは他のプログラムやデータを保有するファイルの一部（例えば、マークアップ言語文書内に保存される一つ以上のスクリプト）内に保存されることができる。コンピュータプログラムは、一つのサイトに位置するか複数のサイトにわたり分散して通信ネットワークにより相互接続された多重コンピュータや一つのコンピュータ上で実行されるように展開されることができる。
【０１６４】
一方、コンピュータプログラム命令語とデータの保存に適したコンピュータで読み取り可能な媒体は、例えば、ＥＰＲＯＭ、ＥＥＰＲＯＭ及びフラッシュメモリ装置のような半導体メモリ装置、例えば、内部ハードディスクや外付型ディスクのような磁気ディスク、磁気光学ディスク及びＣＤ−ＲＯＭとＤＶＤ−ＲＯＭディスクを含みあらゆる形態の非揮発性メモリ、媒体及びメモリ装置を含むことができる。プロセッサとメモリは、特殊目的の論理回路によって補充されるか、それに統合されることができる。
【０１６５】
本明細書で説明した主題の具現物は、例えばデータサーバーのようなバックエンドコンポーネントを含むか、例えばアプリケーションサーバーのようなミドルウェアコンポーネントを含むか、例えばユーザーが本明細書で説明した主題の具現物と相互作用可能なウェブブラウザやグラフィックユーザーインターフェースを有するクライアントコンピュータのようなフロントエンドコンポーネントあるいはそのようなバックエンド、ミドルウェアあるいはフロントエンドコンポーネントの一つ以上のあらゆる組み合わせを含む演算システムで具現されることもできる。システムのコンポーネントは、例えば通信ネットワークのようなデジタルデータ通信の如何なる形態や媒体によっても相互接続可能である。
【０１６６】
本明細書は多数の特定の具現物の詳細事項を含むが、これらは如何なる発明や請求可能なものの範囲に対しても制限的なものとして理解されてはならず、むしろ特定の発明の特定の実施形態の特有の特徴に関する説明として理解されなければならない。同様に、個別的な実施形態の文脈で本明細書に記述されている特定の特徴は、単一実施形態で組み合わせて具現されることもできる。反対に、単一実施形態の文脈で記述した多様な特徴も個別的にあるいは如何なる適切な下位組み合わせでも複数の実施形態で具現可能である。さらに、特徴が特定の組み合わせで動作できるが、一つ以上の特徴は一部の場合にその組み合わせから排除されることができ、その請求された組み合わせは下位組み合わせや下位組み合わせの変形物に変更されることができる。
【０１６７】
また、本明細書では特定の手順で図面に動作を描写しているが、これは、望ましい結果を得るために図示されたその特定の手順や順序通りにそのような動作を行うべきであるとか、全ての図示された動作が行われなければならないと理解されてはならない。特定の場合、マルチタスキングと並列プロセッシングが有利であり得る。また、上述の実施形態の多様なシステムコンポーネントの分離は、かかる分離をあらゆる実施形態で要求することと理解されてはならず、説明したプログラムコンポーネントとシステムは一般的に単一のソフトウェア製品として共に統合されるか多重ソフトウェア製品にパッケージされることができるという点を理解しなければならない。
【０１６８】
このように、本明細書は、その提示された具体的な用語に本発明を制限しようとする意図ではない。従って、上述の例を参照して本発明を詳しく説明したが、当業者であれば本発明の範囲を逸脱しない範囲で本例に対する改造、変更及び変形を加えることができる。本発明の範囲は、上記詳細な説明よりは後述の特許請求の範囲によって示され、特許請求の範囲の意味及び範囲そしてその等価概念から導き出される全ての変更又は変形された形態が本発明の範囲に含まれることと解釈されなければならない。
【図１】
2019523598.tif 000003
【図２】
2019523598.tif 000004
【図３】
2019523598.tif 000005
【図４】
2019523598.tif 000006
【図５】
2019523598.tif 000007
【国際調査報告】
2019523598.tif 000008
2019523598.tif 000009
2019523598.tif 000010
2019523598.tif 000011